(57)【特許請求の範囲】
【請求項１】
第一の経路（Ｐ１）を経由して第一の加算器（Ａ１）の第一のインプットに導かれる音声信号（Ｘｉｎ）を処理する方法において、音声信号（Ｘｉｎ）が第二の経路（Ｐ２）において第一の帯域フィルター（ＢＰ１）により帯域を限定されることと、帯域を限定された音声信号が、第一の帯域フィルター（ＢＰ１）のアウトプットにおいて補正率（ＧＣ）と乗算され、増幅率Ｇで増幅され、続いてその振幅が第一の非線形回路（ＮＬ１）により、指定可能な最高値までに限定されることと、補正率ＧＣが、指定可能な最高値を超える場合は小さくされ、超えない場合は一定にとどまるかあるいは大きくされることと、音声信号が第一の非線形回路（ＮＬ１）のアウトプットで第二の帯域フィルター（ＢＰ２）により帯域を限定されることと、帯域を限定された音声信号が、第二の帯域フィルター（ＢＰ２）のアウトプットで加算器（ＡＤ）により、第一の経路（Ｐ１）の音声信号に加算されることとを特徴とする、上記の方法。
【請求項２】
補正率ＧＣは、第一の非線形回路（ＮＬ１）が生成する制御変数Ｖの関数Ｆ１であることを特徴とする、請求項１に記載の方法。
【請求項３】
補正率（ＧＣ）は、振幅が指定可能なしきい値以下であるときは第一の数値（Ｖ１）を取り、振幅が指定可能なしきい値以上であるときは第二の数値（Ｖ２）を取ることを特徴とする、請求項２に記載の方法。
【請求項４】
関数Ｆ１が第一の低域フィルター（ＴＰ１）によって実現されていることを特徴とする、請求項２または３に記載の方法。
【請求項５】
第一の非線形回路（ＮＬ１）が低周波信号部分の高調波を生成し、可変的係数ＮＧによって重み付けすることを特徴とする、請求項１から４までのいずれかに記載の方法。
【請求項６】
可変的係数ＮＧが、第一の非線形回路（ＮＬ１）のインプット信号の関数Ｆ２であることを特徴とする、請求項５に記載の方法。
【請求項７】
第一の非線形回路（ＮＬ１）が低周波信号の開始時に増幅された高調波を生成することを特徴とする、請求項６に記載の方法。
【請求項８】
第一の非線形回路（ＮＬ１）では関数Ｆ２に従って、第一の非線形回路（ＮＬ１）のインプット信号がピーク値検出器（ＰＫ）によって検出され、この回路のアウトプット信号は、異なる時定数を持つ第二と第三の低域フィルター（ＴＰ２、ＴＰ３）で低域をろ過されることと、２つの低域をろ過された信号の差分信号は可変的係数ＮＧであることと、第一の非線形回路（ＮＬ１）のインプット信号の絶対値は、この係数ＮＧによって重み付けされ、第一の非線形回路（ＮＬ１）のインプット信号に加算されて合計値となり、合計値の振幅が指定可能な数値に限定されることとを特徴とする、請求項７に記載の方法。
【請求項９】
第一の経路（Ｐ１）を経由して第一の加算器（Ａ１）の第一のインプットに導かれる音声信号（Ｘｉｎ）を処理する回路配置、かつそのアウトプットからアウトプット信号（Ｘｏｕｔ）を取り出し可能な回路配置において、音声信号（Ｘｉｎ）が、第二の経路（Ｐ２）を経由して第一の加算器（Ａ１）の第二のインプットに導かれ、この第二の経路は、第一の帯域フィルター（ＢＰ１）、第一の乗算器（Ｍ１）、可変増幅機能を持つ増幅器（ＡＭ）、第一の非線形回路（ＮＬ１）および第二の帯域フィルター（ＢＰ２）からなる直列回路として構成されていることと、第一の非線形回路（ＮＬ１）の制御アウトプットが第一の関数発生器（Ｆ１）のインプットと接続されており、この関数発生器のアウトプットは第一の乗算器（Ｍ１）と接続されていることと、増幅器（ＡＭ）の制御インプットには増幅率（Ｇ）が来ていることとを特徴とする、上記の回路配置。
【請求項１０】
第一の関数発生器（Ｆ１）が第一の低域フィルター（ＴＰ１）として作られていることを特徴とする、請求項９に記載の回路配置。
【請求項１１】
第一の非線形回路（ＮＬ１）が第二の非線形回路（ＮＬ２）と第二の関数発生器（Ｆ２）から構成されることと、第一の非線形回路（ＮＬ１）のインプット信号が、第二の非線形回路（ＮＬ２）のインプットと第二の関数発生器（Ｆ２）のインプットに来ていて、この関数発生器のアウトプットは第二の非線形回路（ＮＬ２）の制御インプットと接続されていることと、第二の非線形回路（ＮＬ２）の制御アウトプットは、第一の関数発生器（Ｆ１）または第一の低域フィルター（ＴＰ１）と接続されていることと、第二の非線形回路（ＮＬ２）の信号アウトプットは第二の帯域フィルター（ＢＰ２）のインプットと接続されていることとを特徴とする、請求項９または１０に記載の回路配置。
【請求項１２】
第二の関数発生器（Ｆ２）がピーク値検出器（ＰＫ）、第二および第三の低域フィルター（ＴＰ２、ＴＰ３）、第一のリミッター（ＬＩＭ１）および減算器（Ｓ）から構成されていることと、第二の非線形回路（ＮＬ２）が絶対値形成装置（ＡＢＳ）、第二の乗算器（Ｍ２）、第二の加算器（Ａ２）および第二のリミッター（ＬＩＭ２）から構成されていることと、第一の非線形回路（ＮＬ１）のインプット信号が、第二の加算器（Ａ２）の第一のインプット、絶対値形成装置（ＡＢＳ）のインプットおよびピーク値検出器（ＰＫ）のインプットに来ていて、ピーク値検出器（ＰＫ）のアウトプットは第二の低域フィルター（ＴＰ２）のインプットおよび第三の低域フィルター（ＴＰ３）のインプットと接続されていることと、第二の低域フィルター（ＴＰ２）のアウトプットが減算器（Ｓ）の第一のインプットと、また第三の低域フィルター（ＴＰ３）のアウトプットが減算器の第二のインプットと接続され、減算器のアウトプットは第一のリミッター（ＬＩＭ１）を経由して、第二の乗算器（Ｍ２）の第一のインプットと接続されていることと、絶対値形成装置（ＡＢＳ）のアウトプットは第二の乗算器（Ｍ２）の第二のインプットと接続され、この乗算器のアウトプットは第二の加算器（Ａ２）の第二のインプットと接続されていることと、第二の加算器（Ａ２）のアウトプットは第二のリミッター（ＬＩＭ２）のインプットと接続され、このリミッターの制御アウトプットは第一の関数発生器（Ｆ１）または第一の低域フィルター（ＴＰ１）と、そしてこのリミッターのアウトプットは第二の帯域フィルター（ＢＰ２）のインプットと接続されていることとを特徴とする、請求項１１に記載の回路配置。
【発明の詳細な説明】
【０００１】
（技術分野）
本発明は、第一の経路を経由して第一の加算器の第一のインプットに来ている音声信号を処理するための、方法と回路配置に関する。
【０００２】
（背景技術）
この種の方法と回路配置は、音響再生のためにたとえばテレビ受信機、ラジオ受信機またはステレオ装置といった機器に使用されている。これは、スピーカーの周波数応答を補償し、音響再生を改善し、そして機器または装置の過負荷を防止するためである。
音響再生用機器でもっとも問題あるエレメントは、その音圧が構造的理由でたとえば４０ｄｂといった限界周波数以下に降下するスピーカーであって、これは第二次側のフィルターの転送機能に対応するものである。これに対してバスフレックス−、およびトランスミッションライン−スピーカーは、高次側フィルターに対応する転送機能を持つ。下側限界周波数は約５０Ｈｚと２００Ｈｚの間にあるのが典型的である。スピーカーの限界周波数が低くなるほど、製造コストは高くなる。たとえばテレビ受信機またはポータブルなラジオ受信機といった機器で価格上有利なものは、従ってその下側限界周波数が比較的高い簡単なスピーカーを装備する。下側周波数領域の音響再生を改善するため、低い周波数をプリアンプ増幅することにより、限界周波数を下側にシフトするが、これは終段増幅器とスピーカーの過負荷につながる可能性がある。終段増幅器とスピーカーの過負荷と、場合によってはそれにより生じる破損を防止するため、低音増幅器のアウトプット信号をフィードバックして、アウトプット信号が大きいときは低い周波数の増幅を減じるようにする。この種の方法は、ＵＳ−ＰＳ  ５，３０５，３８８から知られている。
ＵＳ−ＰＳ  ５，３５９，６６５には、次のような回路配置が記載されている。すなわち、そこでは音声信号を直接に第一の経路を経由して加算器の第一のインプットに導くが、その一方この音声信号を同時に、第二の経路として低域フィルターと可変増幅機能つき増幅器を経由して、加算器の第二のインプットに導く。増幅器のアウトプットは、信号レベル検出器を経由して、増幅器の制御インプットにフィードバックする。この措置によって、終段増幅器の過負荷を減少させることができる。
心理音響学の研究結果から、基本周波数はスペクトル中にまったく存在せず、基本周波数の協和音だけが存在する場合でも、人間はその音の基本音の高さをはっきりと特定できることが知られている。この心理音響学的効果を利用して、基本音の協和音を発生させて、その限界周波数がこの基本周波数より上にあるスピーカーに導く。こうしてリスナーは、スピーカーはこの低い基本周波数をまったく放射していないにもかかわらず、そのような周波数が聞こえると思うのである。
ＵＳ−ＰＳ  ５，６６８，８８５からは、低い周波数に対する協和音を生じることによって、下側限界周波数が比較的高いスピーカーから、その基本周波数よりも低い周波数を「おびき出す」回路配置が知られている。音声信号は第一の経路を経由して、加算器の第一のインプットにある。第二の経路では、音声信号は低域フィルターでろ過され、整流され、もう一度低域フィルターでろ過され、続いて増幅されて、加算器の第二のインプットに導かれる。
ＵＳ−ＰＳ  ４，１５０，２５３には、音声信号を２つの信号経路に分けるという回路配置が記載されている。周波数に応じて位相をシフトするために、第一の経路では音声信号が高域フィルターを通過する。高域フィルターのアウトプットにおける信号のレベルが指定の数値を超えるとき、その信号は、基本周波数に対する協和音を生じる発振器のインプットに導かれる。発振器アウトプットにおける信号のレベルは、当初音声信号のレベル以下の数値に減衰される。この減衰された信号と当初の音声信号は、両者加算される。
ＵＳ−ＰＳ  ４，７００，３９０からは、次のようないわゆるシンセサイザーが知られている。すなわち、低い周波数領域でも高い周波数領域でも再生を改善するために、低い方の周波数だけでなく高い方の周波数に対しても協和音を発生させ、当初の音声信号に加算するシンセサイザーのことである。
ＵＳ−ＰＳ  ５，７７１，２９６でも同様に、次のような回路配置が知られている。すなわち、音声信号を第一の経路を経由して直接に加算器に導くが、その一方第二の経路では、下のほうの周波数に対する協和音を発生させて加算器で当初の信号に加算し、それによりリスナーには、スピーカーが実際そうであるより低い周波数を放射しているかのように、ある程度ごまかすことができる。
最後に挙げるＵＳ−ＰＳ  ４，７３９，５１４では、低い周波数の音響再生を改善するための回路配置が知られている。この回路配置でも、音声信号が第一の経路を経由して加算器の第一のインプットに供給されるが、その一方で、可変増幅機能を持つ増幅器と帯域フィルターが直列に置かれている第二の経路を経由して、音声信号が加算器の第二のインプットに導かれる。そのインプットに音声信号が来ている信号レベル検出器が、増幅器の増幅を制御する。
上記のような周知の方法と回路配置はすべて、フィードバックが原因となって振幅の増大に対する反応が比較的遅く、従ってフィードバックするにもかかわらず過負荷の傾向があるという欠点がある。
【０００３】
従って本発明の課題は、請求項１の上位概念に記載の方法と、請求項９の上位概念に記載の回路配置を次のように形成すること、すなわち、スピーカーの周波数応答が補償され、音響再生が改善され、再生システム全体の過負荷がとくに低い周波数の領域で防止されるように形成することである。
【０００４】
（発明の開示）
本発明はこの課題を、方法に関しては次のようにして解決する。１つには、音声信号に対し第二の経路で第一の帯域フィルターにより帯域を限定する。２つには、その帯域を限定された音声信号を、第一の帯域フィルターのアウトプットで補正率ＧＣと乗算し、増幅率Ｇにより増幅し、続いて第一の非線形回路を用いて、この信号の振幅を指定可能な最高値までに限定する。３つには、補正率ＧＣは指定可能な最高値を超える場合は小さくなり、超えない場合は一定となるか、大きくなる。４つには、音声信号は第一の非線形回路のアウトプットで、第二の帯域フィルターによって帯域を限定する。そして５つには、帯域を限定された音声信号は、第二の帯域フィルターのアウトプットで、加算器により第一の経路の音声信号と加算される。
【０００５】
装置に関しては、本発明はこの課題を次のようにして解決する。１つには、第二の経路には第一の帯域フィルター、第一の乗算器、可変増幅機能を持つ増幅器、第一の非線形回路、第二の帯域フィルターが直列に存在するものとし、音声信号はこの第二の経路を経由して加算器の第二のインプットに導かれる。２つには、第一の非線形回路の制御アウトプットは第一の関数発生器のインプットと接続されており、この関数発生器のアウトプットは乗算器の第二のインプットと接続されている。そして３つには、増幅器の制御インプットには１つの制御量がきている。
【０００６】
（発明を実施するための最良の実施形態）
ここで図面に示した実施形態により、本発明について説明しよう。
図１は本発明による回路配置の第一の実施形態を示し、本発明による方法を記述、説明するものである。
【０００７】
図１では音声信号Ｘｉｎが、第一の経路Ｐ１を経由して第一の加算器Ａ１のインプットに、第二の経路Ｐ２を経由して加算器Ａ１の第二のインプットに導かれ、加算器のアウトプットではアウトプット音声信号ＸｏｕＴを取り出し可能である。この第二の経路は、第一の帯域フィルターＢＰ１、第一の乗算器Ｍ１、可変増幅機能を持つ増幅器ＡＭ、第一の非線形回路ＮＬ１、および第二の帯域フィルターＢＰ２からなる直列回路として構成されている。第一の非線形回路ＮＬ１の制御アウトプットは、関数発生器Ｆ１のインプットに接続され、この関数発生器のアウトプットは第一の乗算器Ｍ１に接続されている。増幅器ＡＭの制御インプットには制御量Ｇがきている。
【０００８】
音声信号Ｘｉｎは、第一の帯域フィルターＢＰ１によって帯域を限定される。続いて音声信号が乗算器Ｍ１で可変補正率ＧＣと乗算される。乗算器Ｍ１のアウトプットにある積は、増幅器ＡＭで増幅率Ｇにより増幅される。非線形回路ＮＬ１は、増幅器ＡＭから供給された音声信号の振幅を、指定可能な数値に限定する。非線形回路ＮＬ１のアウトプット信号は、帯域フィルターＢＰ２によって帯域を限定される。非線形回路ＮＬ１は制御変数Ｖを生成し、関数発生器Ｆ１はこの制御変数から補正率ＧＣを生成する。この補正率ＧＣを関数発生器Ｆ１によって、制御変数Ｖに応じて変化させ、過負荷の場合には補正率を減少させるようにする。それに対して音声信号のレベルが許容される限界以下であるときは、補正率ＧＣを関数発生器Ｆ１によって大きくするが、最大数値は１までとする。
【０００９】
ここで図２に示した本発明第二の実施形態について述べ、図１の第一の実施形態とともに説明しよう。
【００１０】
図２に示した第二の実施形態の場合、関数発生器Ｆ１は低域フィルターＴＰ１として、また第一の非線形回路ＮＬ１はリミッタとして実現されており、このリミッタは振幅に対して、指定可能なしきい値以上の部分をカットオフする。
【００１１】
信号振幅が指定のしきい値を超えるとき、非線形回路ＮＬ１は負の数値Ｖ１を持つ制御変数Ｖを低域フィルターＴＰ１に送り、その一方で信号振幅が指定のしきい値以下である場合は、正の数値Ｖ２を持つ制御変数Ｖを生成する。低域フィルターＴＰ１を用いて制御変数Ｖをろ過することにより、乗算器Ｍ１のための補正率ＧＣを生成する。
【００１２】
非線形回路ＮＬ１は音声信号の振幅を、指定可能なしきい値までに限定するものであるが、この非線形回路における非線形的な操作によって、それより下の周波数を持つ音声信号が生成され、これらの信号は低音信号の高調波とも呼ばれる。この高調波の形態は、非線形回路ＮＬ１における非線形操作の選択と、帯域フィルターＢＰ２のディメンショニングによって決定される。この高調波の形態はたとえば計算またはテストによって求めることができ、この高調波の好都合な形態によって、低い周波数を持つ音声信号の開始たとえば太鼓の打撃が、リスナーにははっきりして、クリアなものとなる。関数発生器Ｆ１の関数の選択によって、次のような時間が決定される。すなわち、強い低周波数の音を使用した後に補正率ＧＣが減少した状態とされ、さらに非線形回路ＮＬ１がもはや高調波を生成しなくなるほど減少した状態とされるまでに経過する時間のことである。時定数とみなされるこの時間的スパンは、低域フィルターＴＰ１のディメンショニングと、二つの制御変数Ｖ１とＶ２の選択によって決定される。
【００１３】
上記の本発明による措置によって次の作用が得られる。すなわち、信号振幅が小さいとき、増幅器はフルに増幅を行ってスピーカーの周波数特性を一部補償する。信号振幅が大きいときは、スピーカーの周波数特性はわずかに補償されるだけである。さもなければスピーカーが過負荷になるからである。低音信号を使用するとき、この低音信号の高調波が濃縮されるので、スピーカーの低音音量が欠如していても、リスナーは、低音周波数がクリアかつはっきりと聞こえると感じる。
【００１４】
ここで図３に示した本発明の第三の実施形態について述べ、説明しよう。
図３に記載する第三の実施形態では、非線形回路ＮＬ１が詳細に図示されている。非線形回路ＮＬ１は、非線形回路ＮＬ２と関数発生器Ｆ２から構成されている。非線形回路ＮＬ１のインプット信号―これは増幅器ＡＭのアウトプット信号である―は、非線形回路ＮＬ２のインプットと、関数発生器Ｆ２のインプットに導かれ、関数発生器のアウトプットは非線形回路ＮＬ２の制御インプットに接続されている。非線形回路ＮＬ２の信号アウトプットは低域フィルターＢＰ２のインプットと接続され、その一方で非線形回路ＮＬ２の制御アウトプットは、関数発生器Ｆ１または低域フィルターＴＰ１と接続されている。
【００１５】
非線形回路ＮＬ２は、音声信号の低周波部分の高調波を連続的に生成する。この高調波は関数発生器Ｆ２によって可変的係数ＮＧで重み付けされ、この係数はインプット信号の関数である。関数発生器Ｆ２の関数の選択に応じて、多彩な音響的効果を生むことができる。
【００１６】
関数発生器Ｆ２をたとえば次のように形成することができる。すなわち、過負荷に対抗して制御するため、信号振幅を限定しなければならなくなるとただちに、非線形回路ＮＬ２で増幅が行われて、高調波が生成されるように形成することができる。この措置によって、信号エネルギーがより高周波の高調波に配分され、スピーカーまたはスピーカーシステムによる高調波の再生を改善することができる。ここで低周波の信号部分のエネルギーは減少するにもかかわらず、リスナーにとっては、上記の心理音響学的効果によって、低音が完全に響いているという印象が生じる。
【００１７】
ここで図４に示した本発明の第四の実施形態について述べ、説明しよう。
図４は、非線形回路ＮＬ２の構成例と関数発生器Ｆ２の構成例を、細部にわたって示したものである。
【００１８】
非線形回路ＮＬ１のインプット信号、増幅器ＡＭのアウトプット信号は、加算器Ａ２のインプット、絶対値形成装置ＡＢＳのインプット、およびピーク値検出器ＰＫのインプットを通る。ピーク値検出器のアウトプットは、低域フィルターＴＰ２と低域フィルターＴＰ３に接続されている。低域フィルターＴＰ２のアウトプットは減算器Ｓの第一のインプットと、低域フィルターＴＰ３のアウトプットは減算器の第二のインプットと接続されている。この減算器のアウトプットはリミッターＬＩＭ１を経由して、乗算器Ｍ２の第一のインプットと接続されている。絶対値形成装置ＡＢＳのアウトプットは乗算器Ｍ２の第二のインプットと接続され、この乗算器のアウトプットは加算器Ａ２の第二のインプットと接続されている。加算器Ａ２のアウトプットはリミッターＬＩＭ２のインプットと接続されている。リミッターの制御アウトプットは制御変数Ｖを関数発生器Ｆ１または低域フィルターＴＰ１に供給し、またこのリミッターのアウトプットは帯域フィルターＢＰ２のインプットと接続されている。この帯域フィルターのアウトプットでは、スピーカーまたはスピーカーシステムのためのアウトプット信号を取り出し可能である。
【００１９】
ピーク値検出器ＰＫは、指定可能な時間Ｔの間に生じる最大振幅を特定する。ピーク値検出器ＰＫのアウトプット信号は、２つの低域フィルターＴＰ２およびＴＰ３によって、時間的に平均化される。低域フィルターＴＰ３の時定数は、低域フィルターＴＰ２の時定数より小さいものを選択する。これは、時定数が小さいほうの低域フィルターＴＰ３のエッジ周波数は、時定数が大きいほうの低域フィルターＴＰ２のエッジ周波数より高いということである。時定数が他方より小さいために、低域フィルターＴＰ３のアウトプット信号は、低域フィルターＴＰ２のアウトプット信号よりも早くインプット信号の変化に続く。絶対値形成装置ＡＢＳはインプット信号の絶対値を形成し、この絶対値は乗算器Ｍ２において、減算器Ｓで生成された係数ＮＧで重み付けされる。この係数の数値は、リミッターＬＩＭ１により、上は１まで、下は０までに限定される。インプット信号の重み付けされた絶対値は、加算器Ａ２でインプット信号に加算される。こうして形成された合計値はリミッターＬＩＭ２によって、指定可能な振幅までに限定される。過負荷を防止するためである。
【００２０】
たとえばインプット信号の振幅が飛躍的に増加する場合、低域フィルターＴＰ３は時定数が小さいため、そのアウトプットにおけるレベルは、低域フィルターＴＰ２のアウトプットの時よりも速やかに上昇する。制御変数とみなすことができる係数ＮＧは、インプット信号において増大する振幅に対しては、したがって正の数値を取る。インプット信号の振幅増加がいちじるしく生じるほど、より多くの高調波が生成されてインプット信号に混入される。反対に振幅が減少するときは、係数ＮＧは負となる。なぜならば、低域フィルターＴＰ３は時定数が他方より小さいため、そのアウトプットにおけるレベルは、低域フィルターＴＰ２のアウトプットにおけるよりも小さいからである。係数ＮＧの下方は０までに限定されているので、振幅が減少するときは、音声信号にはいかなる高調波も混入しない。
【００２１】
本発明の重要な利点は、非線形回路ＮＬ１の非線形操作と、関数発生器Ｆ１の関数が、高調波の形態ならびに高調波生成の時点を決定することである。非線形回路の非線形操作を、そしてまた関数発生器の関数を巧妙に選択することによって、さまざまに異なる特性を持つスピーカーに本発明を適合させることができるので、スピーカーの周波数応答に対し最適な補償を得ることができる。非線形回路ＮＬ１によって、音声信号の振幅が指定可能な数値に限定されるので、本発明による回路配置は、音声信号の振幅増加に対して、従来の技術よりもはるかに迅速に反応する。
【００２２】
本発明は、テレビ受信機、ポータブル・ラジオ受信機など、とくに低音領域に設計上に弱点のあるスピーカーを装備した音響再生機器に適している。なぜならば本発明は再生システムの過負荷を防止し、スピーカーが低音領域をまったく放射していなくても、響きの豊かな低音という幻想をリスナーに同時に提供するからである。
【図面の簡単な説明】
【図１】  本発明の第一の実施形態である。
【図２】  本発明の第二の実施形態である。
【図３】  本発明の第三の実施形態である。
【図４】  本発明の第四の実施形態である。
【符号の説明】
Ｐ１    第一の経路
Ｐ２    第二の経路
ＢＰ１  第一の帯域フィルター
ＢＰ２  第二の帯域フィルター
Ｍ１    第一の乗算器
Ｍ２    第二の乗算器
ＡＭ    増幅器
ＮＬ１  第一の非線形回路
ＮＬ２  第二の非線形回路
Ｆ１    第一の関数発生器
Ｆ２    第二の関数発生器
Ｇ      増幅率
ＧＣ    補正率
ＮＧ    係数
Ｖ１、Ｖ２  制御変数
ＡＢＳ  絶対値形成装置
ＰＫ    ピーク値検出器
ＴＰ１  低域フィルター
ＴＰ２  低域フィルター
ＴＰ３  低域フィルター
Ｓ      減算器
ＬＩＭ１  リミッター
ＬＩＭ２  リミッター
Ｘｉｎ    音声信号
Ｘｏｕｔ  アウトプット音声信号
【図１】
0004410445.tif 000002
【図２】
0004410445.tif 000003
【図３】
0004410445.tif 000004
【図４】
0004410445.tif 000005